(57)【要約】【課題】本発明は、部品数を減らし、回路の信頼性を高めることができるだけでなく、駆動効率共に向上することができるプラズマディスプレイ装置を提供するためのものである。【解決手段】本発明の一実施形態に係るプラズマディスプレイ装置は、プラズマディスプレイパネルと、前記プラズマディスプレイパネルにエネルギーを供給し、前記プラズマディスプレイパネルからエネルギーを回収するためのソースキャパシタと、前記ソースキャパシタに直列連結されたインダクタと、インダクタと前記プラズマディスプレイパネルとの間に接続されてエネルギー供給経路及びエネルギー回収経路を形成するエネルギー回収／供給制御部と、を含む。【選択図】図２
2007108759.tif 000002
【特許請求の範囲】
【請求項１】
プラズマディスプレイパネルと、
前記プラズマディスプレイパネルにエネルギーを供給し、前記プラズマディスプレイパネルからエネルギーを回収するためのソースキャパシタと、
前記ソースキャパシタに直列連結されたインダクタと、
前記インダクタと前記プラズマディスプレイパネルとの間に接続されてエネルギー供給経路及びエネルギー回収経路を形成するエネルギー回収／供給制御部と、
を含むことを特徴とするプラズマディスプレイ装置。
【請求項２】
前記エネルギー回収／供給制御部は、
前記プラズマディスプレイパネルにエネルギーを供給する前記エネルギー供給経路を形成するエネルギー供給制御部と、
前記プラズマディスプレイパネルからエネルギーを回収する前記エネルギー回収経路を形成するエネルギー回収制御部とを含み、
前記エネルギー供給制御部は、第１スイッチ及び第１ダイオードを含み、前記エネルギー回収制御部は第２スイッチ及び第２ダイオードを含むことを特徴とする請求項１記載のプラズマディスプレイ装置。
【請求項３】
前記エネルギー供給経路は、
前記ソースキャパシタ、前記インダクタ及び前記エネルギー供給制御部を通じて形成されることを特徴とする請求項２記載のプラズマディスプレイ装置。
【請求項４】
前記エネルギー回収経路は、
前記エネルギー回収制御部、前記インダクタ及び前記ソースキャパシタを通じて形成されることを特徴とする請求項２記載のプラズマディスプレイ装置。
【請求項５】
プラズマディスプレイパネルと、
前記プラズマディスプレイパネルにエネルギーを供給し、前記プラズマディスプレイパネルからエネルギーを回収するためのソースキャパシタと、
前記ソースキャパシタに直列連結されたインダクタと、
前記インダクタと前記プラズマディスプレイパネルとの間に接続されてエネルギー供給経路及びエネルギー回収経路を形成するエネルギー回収／供給制御部と、
前記インダクタと前記エネルギー回収／供給部の共通端子と基底電圧源との間に接続された第１フィルタ部と、
を含むことを特徴とするプラズマディスプレイ装置。
【請求項６】
前記第１フィルタ部は、第１キャパシタ及び第１抵抗を含むことを特徴とする請求項５記載のプラズマディスプレイ装置。
【請求項７】
前記インダクタと前記エネルギー回収／供給部の共通端子とサステイン電圧源との間に接続された第２フィルタ部を更に含むことを特徴とする請求項５記載のプラズマディスプレイ装置。
【請求項８】
前記第２フィルタ部は、第１キャパシタ及び第１抵抗を含むことを特徴とする請求項７記載のプラズマディスプレイ装置。
【請求項９】
前記エネルギー回収／供給制御部は、
前記プラズマディスプレイパネルにエネルギーを供給する前記エネルギー供給経路を形成するエネルギー供給制御部と、
前記プラズマディスプレイパネルからエネルギーを回収する前記エネルギー回収経路を形成するエネルギー回収制御部とを含み、
前記エネルギー供給制御部は第１スイッチ及び第１ダイオードを含み、前記エネルギー回収制御部は第２スイッチ及び第２ダイオードを含むことを特徴とする請求項５記載のプラズマディスプレイ装置。
【請求項１０】
前記第１スイッチはサステイン電圧が前記プラズマディスプレイパネルに供給される間ターンオフされ、前記第２スイッチは基底電圧が前記プラズマディスプレイパネルに供給される間ターンオフされることを特徴とする請求項９記載のプラズマディスプレイ装置。
【請求項１１】
前記エネルギー供給経路は、
前記ソースキャパシタ、前記インダクタ及び前記エネルギー供給制御部を通じて形成されることを特徴とする請求項９記載のプラズマディスプレイ装置。
【請求項１２】
前記エネルギー回収経路は、
前記エネルギー回収制御部、前記インダクタ及び前記ソースキャパシタを通じて形成されることを特徴とする請求項９記載のプラズマディスプレイ装置。
【請求項１３】
プラズマディスプレイパネルと、
前記プラズマディスプレイパネルにエネルギーを供給し、前記プラズマディスプレイパネルからエネルギーを回収するためのソースキャパシタと、
前記ソースキャパシタと前記プラズマディスプレイパネルとの間に接続されて、エネルギー供給経路及びエネルギー回収経路を形成するエネルギー回収／供給制御部と、
前記ソースキャパシタと前記エネルギー／回収供給制御部との間に接続され、前記エネルギー供給経路上に形成された第１インダクタと、
前記ソースキャパシタと前記エネルギー／回収供給制御部との間に接続され、前記エネルギー回収経路上に形成された第２インダクタと、
を含むことを特徴とするプラズマディスプレイ装置。
【請求項１４】
前記第１インダクタのインダクタンスは、前記第２インダクタのインダクタンスより小さいことを特徴とする請求項１３記載のプラズマディスプレイ装置。
【請求項１５】
前記エネルギー回収／供給制御部は、
前記プラズマディスプレイパネルにエネルギーを供給する前記エネルギー供給経路を形成するエネルギー供給制御部と、
前記プラズマディスプレイパネルからエネルギーを回収する前記エネルギー回収経路を形成するエネルギー回収制御部とを含み、
前記エネルギー供給制御部は第１スイッチ及び第１ダイオードを含み、前記エネルギー回収制御部は第２スイッチ及び第２ダイオードを含むことを特徴とする請求項１３記載のプラズマディスプレイ装置。
【請求項１６】
前記第１スイッチはサステイン電圧が前記プラズマディスプレイパネルに供給される間ターンオフされ、前記第２スイッチは基底電圧が前記プラズマディスプレイパネルに供給される間ターンオフされることを特徴とする請求項１５記載のプラズマディスプレイ装置。
【請求項１７】
前記エネルギー供給経路は、
前記ソースキャパシタ、前記第１インダクタ及び前記エネルギー供給制御部を通じて形成されることを特徴とする請求項１５記載のプラズマディスプレイ装置。
【請求項１８】
前記エネルギー回収経路は、
前記エネルギー回収制御部、前記第２インダクタ及び前記ソースキャパシタを通じて形成されることを特徴とする請求項１５記載のプラズマディスプレイ装置。
【発明の詳細な説明】
【技術分野】
【０００１】
本発明は、ディスプレイ装置に関し、より詳しくは、プラズマディスプレイ装置に関する。
【背景技術】
【０００２】
一般に、ディスプレイ装置のうち、プラズマディスプレイ装置は、プラズマディスプレイパネルとプラズマディスプレイパネルを駆動するための駆動部を含む。
【０００３】
一般に、プラズマディスプレイパネルは、前面パネルと後面パネルとの間に形成された隔壁が１つの放電セルをなすことで、各放電セル内にはネオン（Ｎｅ）、ヘリウム（Ｈｅ）またはネオン及びヘリウムの混合気体（Ｎｅ+Ｈｅ）のような主放電気体と少量のキセノン（Ｘｅ）を含有する不活性ガスが充填されている。
【０００４】
このような放電セルが複数個が集まって１つのピクセル（Pixel）をなす。例えば、赤色（Red、Ｒ）放電セル、緑色（Green、Ｇ）放電セル、青色（Blue、Ｂ）放電セルが集まって１つのピクセルをなすものである。
【０００５】
そして、このようなプラズマディスプレイパネルは、高周波電圧により放電される際、不活性ガスは真空紫外線（Vacuum Ultraviolet rays）を発生し、隔壁間に形成された蛍光体を発光させて画像が具現される。このようなプラズマディスプレイパネルは、軽量薄形の構成が可能であるので、次世代の表示装置として脚光を浴びている。
【０００６】
このように駆動される従来のプラズマディスプレイパネルでは、アドレス放電及びサステイン放電に数百ボルト以上の高圧が必要であることになる。したがって、駆動電力を最小化することが必要であり、駆動回路にはエネルギー回収回路を採択していることが一般的である。
【０００７】
エネルギー回収回路は、スキャン電極ライン及びサステイン電極ラインに充電される電荷とアドレス電極ラインに充電される電荷を回収して、これを次の周期の駆動のために再利用するようにする機能をする。
【０００８】
しかしながら、このような従来のエネルギー回収回路の場合、エネルギー回収回路内のインダクタによって不要な共振波形が発生することになって電力消耗を増加させ、部品が破損する問題点があった。
【発明の開示】
【発明が解決しようとする課題】
【０００９】
本発明は、部品数を減らし、回路の信頼性を高めることができるだけでなく、駆動効率共に向上することができるプラズマディスプレイ装置を提供することを目的とする。
【課題を解決するための手段】
【００１０】
本発明の一実施形態に係るプラズマディスプレイ装置は、プラズマディスプレイパネルと、プラズマディスプレイパネルにエネルギーを供給し、前記プラズマディスプレイパネルからエネルギーを回収するためのソースキャパシタと、ソースキャパシタに直列連結されたインダクタと、インダクタと前記プラズマディスプレイパネルとの間に接続されてエネルギー供給経路及びエネルギー回収経路を形成するエネルギー回収／供給制御部と、を含む。
【００１１】
前記エネルギー回収／供給制御部は、前記プラズマディスプレイパネルにエネルギーを供給する前記エネルギー供給経路を形成するエネルギー供給制御部と、前記プラズマディスプレイパネルからエネルギーを回収する前記エネルギー回収経路を形成するエネルギー回収制御部とを含み、前記エネルギー供給制御部は、第１スイッチ及び第１ダイオードを含み、前記エネルギー回収制御部は第２スイッチ及び第２ダイオードを含む。
【００１２】
前記エネルギー供給経路は、前記ソースキャパシタ、前記インダクタ及び前記エネルギー供給制御部を通じて形成されることが好ましい。
【００１３】
前記エネルギー回収経路は、前記エネルギー回収制御部、前記インダクタ及び前記ソースキャパシタを通じて形成されることが好ましい。
【００１４】
本発明の他の一実施形態に係るプラズマディスプレイ装置は、プラズマディスプレイパネルと、前記プラズマディスプレイパネルにエネルギーを供給し、前記プラズマディスプレイパネルからエネルギーを回収するためのソースキャパシタと、前記ソースキャパシタに直列連結されたインダクタと、前記インダクタと前記プラズマディスプレイパネルとの間に接続されてエネルギー供給経路及びエネルギー回収経路を形成するエネルギー回収／供給制御部と、前記インダクタと前記エネルギー回収／供給部の共通端子と基底電圧源との間に接続された第１フィルタ部とを含む。
【００１５】
前記第１フィルタ部は、第１キャパシタ及び第１抵抗を含む。
【００１６】
前記インダクタと前記エネルギー回収／供給部の共通端子とサステイン電圧源との間に接続された第２フィルタ部を更に含む。
【００１７】
前記第２フィルタ部は、第１キャパシタ及び第１抵抗を含む。
【００１８】
前記エネルギー回収／供給制御部は、前記プラズマディスプレイパネルにエネルギーを供給する前記エネルギー供給経路を形成するエネルギー供給制御部と、前記プラズマディスプレイパネルからエネルギーを回収する前記エネルギー回収経路を形成するエネルギー回収制御部とを含み、前記エネルギー供給制御部は第１スイッチ及び第１ダイオードを含み、前記エネルギー回収制御部は第２スイッチ及び第２ダイオードを含む。
【００１９】
前記第１スイッチはサステイン電圧が前記プラズマディスプレイパネルに供給される間ターンオフされ、前記第２スイッチは基底電圧が前記プラズマディスプレイパネルに供給される間ターンオフされることが好ましい。
【００２０】
前記エネルギー供給経路は、前記ソースキャパシタ、前記インダクタ及び前記エネルギー供給制御部を通じて形成されることが好ましい。
【００２１】
前記エネルギー回収経路は、前記エネルギー回収制御部、前記インダクタ及び前記ソースキャパシタを通じて形成されることが好ましい。
【００２２】
本発明の更に他の一実施形態に係るプラズマディスプレイ装置は、プラズマディスプレイパネルと、プラズマディスプレイパネルにエネルギーを供給し、前記プラズマディスプレイパネルからエネルギーを回収するためのソースキャパシタと、前記ソースキャパシタと前記プラズマディスプレイパネルとの間に接続されて、エネルギー供給経路及びエネルギー回収経路を形成するエネルギー回収／供給制御部と、前記ソースキャパシタと前記エネルギー／回収供給制御部との間に接続され、前記エネルギー供給経路上に形成された第１インダクタと、前記ソースキャパシタと前記エネルギー／回収供給制御部との間に接続され、前記エネルギー回収経路上に形成された第２インダクタと、を含む。
【００２３】
前記第１インダクタのインダクタンスは、前記第２インダクタのインダクタンスより小さいことが好ましい。
【００２４】
前記エネルギー回収／供給制御部は、前記プラズマディスプレイパネルにエネルギーを供給する前記エネルギー供給経路を形成するエネルギー供給制御部と、前記プラズマディスプレイパネルからエネルギーを回収する前記エネルギー回収経路を形成するエネルギー回収制御部とを含み、前記エネルギー供給制御部は第１スイッチ及び第１ダイオードを含み、前記エネルギー回収制御部は第２スイッチ及び第２ダイオードを含む。
【００２５】
前記第１スイッチはサステイン電圧が前記プラズマディスプレイパネルに供給される間ターンオフされ、前記第２スイッチは基底電圧が前記プラズマディスプレイパネルに供給される間ターンオフされることが好ましい。
【００２６】
前記エネルギー供給経路は、前記ソースキャパシタ、前記第１インダクタ及び前記エネルギー供給制御部を通じて形成されることが好ましい。
【００２７】
前記エネルギー回収経路は、前記エネルギー回収制御部、前記第２インダクタ及び前記ソースキャパシタを通じて形成されることが好ましい。
【発明の効果】
【００２８】
本発明の一実施形態に係るプラズマディスプレイ装置は、インダクタによりパネルキャパシタに印加される不要な共振現状を防止させて部品数を減らすことができ、回路の信頼性を高めることができるだけでなく、駆動効率共に向上することができる効果がある。
【発明を実施するための最良の形態】
【００２９】
以下、本発明の一実施形態に係る具体的な実施形態を添付された図面を参照しつつ説明する。
【００３０】
図１は、本発明の一実施形態に係るプラズマディスプレイ装置のうち、プラズマディスプレイパネルの構造を示す分解斜視図である。
【００３１】
図１に示すように、各放電セルは上部基板１上に形成されたスキャン電極（２Ｙ）及びサステイン電極（２Ｚ）、下部基板９上に形成されたアドレス電極（２Ａ）を備える。
【００３２】
スキャン電極（２Ｙ）とサステイン電極（２Ｚ）は、通常、透明なインジウム−チン−オキサイド（Indium-Tin-Oxide；以下、‘ＩＴＯ’という）からなり、これらの高い抵抗特性による電圧降下を減らすために、これらの上には通常クロム（Ｃｒ）などの金属からなるバス電極３が各々形成される。
【００３３】
スキャン電極（２Ｙ）とサステイン電極（２Ｚ）が並べて形成された上部基板１には上部誘電体層４と保護膜５が積層される。保護膜５はプラズマ放電時に発生したスパッタリングによる上部誘電体層４の損傷を防止すると共に、２次電子の放出効率を高めるために通常酸化マグネシウム（ＭｇＯ）からなる。
【００３４】
アドレス電極（２Ａ）が形成された下部基板９上には下部誘電体層８及び隔壁６が形成され、下部誘電体層８と隔壁６の表面には蛍光体７が塗布される。アドレス電極（２Ａ）はスキャン電極（２Ｙ）及びサステイン電極（２Ｚ）と垂直な方向に形成され、隔壁６はアドレス電極（２Ａ）と平行な方向に形成されて放電により生成した紫外線及び可視光が隣接した放電セルに漏洩することを防止する。
【００３５】
蛍光体７は、プラズマ放電時に発生した紫外線により励起されて、赤色（Ｒ）、緑色（Ｇ）または青色（Ｂ）のうち、いずれか１つの可視光線を発生することになる。上部基板１及び下部基板９と隔壁６により設けられた放電空間にはガス放電のためのＮｅ+Ｘｅ及びペニングガスなどが封入される。
【００３６】
前述した構造の放電セルは、アドレス電極（２Ａ）とスキャン電極（２Ｙ）との間の対向放電により選択された後、スキャン電極（２Ｙ）とサステイン電極（２Ｚ）との間の面放電により放電を維持することになる。
【００３７】
このような放電セルではサステイン放電時に発生する紫外線により蛍光体７が発光することによって、可視光がセルの外部に放出することになる。この結果、放電セルは放電が維持された期間を調整して階調を具現することになり、その放電セルがマトリックス形態で配列されたＰＤＰは画像を表示することになる。
【００３８】
図２は、図１に図示されたプラズマディスプレイパネルの電極ライン及び放電セルの配置構造を示す平面図である。
【００３９】
図２に示すように、本発明の一実施形態に係るプラズマディスプレイ装置は、ｍ×ｎ個の放電セル２０がスキャン電極ライン（Ｙ１乃至Ｙｍ）、サステイン電極ライン（Ｚ１乃至Ｚｍ）及びアドレス電極ライン（Ｘ１乃至Ｘｎ）に連結されるようにマトリックス形態で配置されたＰＤＰ２１と、スキャン電極ライン（Ｙ１乃至Ｙｍ）を駆動するためのスキャン駆動回路２２と、サステイン電極ライン（Ｚ１乃至Ｚｍ）を駆動するためのサステイン駆動回路２３と、アドレス電極ライン（Ｘ１乃至Ｘｎ）を駆動するためのアドレス駆動回路２４と、外部からの表示データ（Ｄ）、水平同期信号（Ｈ）、垂直同期信号（Ｖ）、クロック信号などを基にして各駆動回路に制御信号を供給する制御回路２５を含む。
【００４０】
スキャン駆動回路２２は、スキャン電極ライン（Ｙ１乃至Ｙｍ）に全放電セルの初期状態を均一にするためのリセットパルス、放電セルを選択するためのスキャン（または、アドレス）パルス及び放電回数によって階調を具現するサステインパルスを順次に供給して放電セル２０がライン単位で順次に走査されるようにすると共に、ｍ×ｎ個の放電セル２０の各々での放電を持続するようにする。
【００４１】
サステイン駆動回路２３は、全てのサステイン電極ライン（Ｚ１乃至Ｚｍ）にスキャン電極ライン（Ｙ１乃至Ｙｍ）に供給されるサステインパルスと交互するサステインパルスを供給して選択されたセルに対してサステイン放電を起こす。
【００４２】
アドレス駆動回路２４は、スキャン電極ライン（Ｙ１乃至Ｙｍ）に供給されるスキャンパルスに同期化したアドレスパルスを供給して放電されるセルを選択する役割をする。
【００４３】
このように駆動される本発明の一実施形態に係るプラズマディスプレイ装置では、アドレス放電及びサステイン放電に数百ボルト以上の高圧が必要になる。
【００４４】
したがって、駆動電力を最小化することが必要であり、スキャン駆動回路２２とサステイン駆動回路２３にはエネルギー回収回路を採択しており、アドレス駆動回路２４にもエネルギー回収回路が採択されている。
【００４５】
エネルギー回収回路は、スキャン電極ライン及びサステイン電極ラインに充電される電荷とアドレス電極ラインに充電される電荷を回収してこれを次の周期の駆動のために再利用するようにする機能をするが、これに対してより詳細に説明する。
【００４６】
図３は、本発明の第１実施形態に係るプラズマディスプレイ装置のうち、エネルギー回収回路を示す図である。
【００４７】
図３ａは、本発明の好ましい第１実施形態に係るエネルギー回収回路を含むサステイン駆動回路を概略的に示す図である。
【００４８】
図３ａに図示された本発明の第１実施形態に係るプラズマディスプレイ装置のうち、エネルギー回収回路は、ソースキャパシタ３０、インダクタ３１、エネルギー回収／供給制御部３２及びサステインパルス供給制御部３５を含む。
【００４９】
ソースキャパシタ（Ｃｓ）３０は、一側端子に基底電圧（ＶＧＮＤ）と連結され、他側端子がインダクタ３１と連結されて、プラズマディスプレイパネル（Ｃｐａｎｅｌ）にエネルギーを供給し、プラズマディスプレイパネル（Ｃｐａｎｅｌ）からエネルギーを回収する。
【００５０】
インダクタ３１は、ソースキャパシタ（Ｃｓ）３０とエネルギー回収／供給制御部３２との間に接続されてソースキャパシタ（Ｃｓ）３０と直列連結される。
【００５１】
エネルギー回収／供給制御部３２は、エネルギー供給制御部３３とエネルギー回収制御部３４とを含む。
【００５２】
エネルギー供給制御部３３は、第１スイッチ（Ｓ１）及び第１ダイオード（Ｄ１）を含み、エネルギー回収制御部３４は第２スイッチ（Ｓ２）及び第２ダイオード（Ｄ２）を含む。
【００５３】
ここで、プラズマディスプレイパネル（Ｃｐａｎｅｌ）は、スキャン電極ライン（２Ｙ）とサステイン電極ライン（２Ｚ）などのパネルの他構造物間に形成される等価的な静電容量を示す。
【００５４】
サステインパルス供給制御部３５は、第３スイッチ（Ｓ３）及び第４スイッチ（Ｓ４）を含み、第３スイッチ（Ｓ３）及び第４スイッチ（Ｓ４）は各々図示していないサステイン電圧源及び基底電圧源に接続されて前記プラズマディスプレイパネル（Ｃｐａｎｅｌ）にサステイン電圧（Ｖｓ）及び基底電圧（ＶＧＮＤ）を提供する。
【００５５】
このような本発明の第１実施形態に係るプラズマディスプレイ装置のうち、エネルギー回収回路の動作は４つの段階に大別される。
【００５６】
まず、プラズマディスプレイパネル（Ｃｐａｎｅｌ）の電圧は０Ｖであり、ソースキャパシタ（Ｃｓ）にはＶｓ／２の電圧が充電されていると仮定する。
【００５７】
第１状態で第１スイッチ（以下の図面にはスイッチを単純なスイッチの形態で図示することもするが、異なるように定義する場合を除いてはボディーダイオードを含むトランジスタを簡略に表現していることに留意する）（Ｓ１）がターンオンされ、第２乃至第４スイッチ（Ｓ２、Ｓ３、Ｓ４）がターンオフされれば、ソースキャパシタ（Ｃｓ）からインダクタ（Ｌ１）、第１スイッチ（Ｓ１）及び第１ダイオード（Ｄ１）に繋がるエネルギー供給経路が形成される。
【００５８】
この際、インダクタ（Ｌ１）とプラズマディスプレイパネル（Ｃｐａｎｅｌ）は直列共振回路を形成するが、ソースキャパシタ（Ｃｐａｎｅｌ）にＶｓ／２の電圧が充電されているので、前記直列共振回路のインダクタ（Ｌ１）の充／放電によりパネルキャパシタ（Ｃｐａｎｅｌ）に出力される電圧（Ｖｐ）はソースキャパシタ（Ｃｓ）の電圧の２倍であるＶｓまで上昇することになる。
【００５９】
第２状態では、第１スイッチ（Ｓ１）と第３スイッチ（Ｓ３）がターンオンされ、第２スイッチ（Ｓ２）及び第４スイッチ（Ｓ４）がターンオフされる。
【００６０】
これによって、プラズマディスプレイパネルの電圧（Ｖｐ）はサステイン電圧（Ｖｓ）になる。第１状態が終わる瞬間に、即ちＬＣ共振によってプラズマディスプレイパネルの電圧（Ｖｐ）の値がサステイン電圧（Ｖｓ）と同一な値になる瞬間にプラズマディスプレイパネル（Ｃｐａｎｅｌ）にはサステイン電圧供給源（図示していない）からのサステイン電圧（Ｖｓ）が印加された後、一定時間の間サステイン電圧（Ｖｓ）に維持される。
【００６１】
以後、第３状態では第２スイッチ（Ｓ２）がターンオンされ、第１スイッチ、第３スイッチ及び第４スイッチ（Ｓ１、Ｓ３、Ｓ４）はターンオフされる。これによって、プラズマディスプレイパネル（Ｃｐａｎｅｌ）に格納されていたエネルギーがソースキャパシタ（Ｃｓ）に放電されながらエネルギーが回収され、パネルキャパシタの電圧（Ｖｐ）は降下する。
【００６２】
第３状態では、プラズマディスプレイパネル（Ｃｐａｎｅｌ）で第２ダイオード（Ｄ２）、第２スイッチ（Ｓ２）、インダクタ（Ｌ１）、及びソースキャパシタ（Ｃｓ）に繋がるエネルギー回収経路が形成される。
【００６３】
最後に、第４状態では、第２スイッチ（Ｓ２）と第４スイッチ（Ｓ４）がターンオンされ、第１スイッチ（Ｓ１）及び第３スイッチ（Ｓ３）がターンオフされる。これによって、パネルキャパシタの電圧（Ｖｐ）は基底電圧（ＶＧＮＤ）レベルになる。
【００６４】
第３状態が終わる瞬間に、即ちＬＣ共振によってプラズマディスプレイパネルの電圧（Ｖｐ）の値が基底電圧（ＶＧＮＤ）と同一な値になる瞬間にプラズマディスプレイパネル（Ｃｐａｎｅｌ）には基底電圧供給源（図示していない）からの基底電圧（ＶＧＮＤ）が印加された後、一定時間の間、基底電圧（ＶＧＮＤ）に維持される。
【００６５】
本発明の第１実施形態に係るプラズマディスプレイ装置のうち、エネルギー回収回路が従来のエネルギー回収回路と異なる点は、インダクタ（Ｌ１）がプラズマディスプレイパネル（Ｃｐａｎｅｌ）に直接連結されるのでなく、ソースキャパシタ（Ｃｓ）に直接連結されるという点である。
【００６６】
したがって、従来のエネルギー回収回路の場合、プラズマディスプレイパネル（Ｃｐａｎｅｌ）に印加される電圧（Ｖｐ）がサステイン電圧（Ｖｓ）や基底電圧（ＶＧＮＤ）でクランピングされる間、インダクタ（Ｌ１）の他側端子の電圧がクランピングダイオードにフローティングされるため、この時に発生する不要な共振を防ぐためにクランピングダイオードが必要であった。
【００６７】
しかしながら、図３ａに示すような本発明の第１実施形態に係るプラズマディスプレイ装置のうち、エネルギー回収回路の動作を見れば、インダクタ（Ｌ１）の一側端子に印加される電圧はソースキャパシタに印加される電圧（Ｖｃｓ）に変更される結果となる。
【００６８】
また、エネルギー供給及び回収役割をするソースキャパシタ（Ｃｓ）に印加される電圧（Ｖｃｓ）は固定電圧に維持されるため、従来のような不要な共振は発生しなくなる。
【００６９】
また、インダクタ（Ｌ１）は、サステイン電圧（Ｖｓ）及び基底電圧（ＶＧＮＤ）がパネルキャパシタ（Ｃｐａｎｅｌ）に印加される間に、即ち第２状態と第４状態の間にターンオフされるエネルギー供給制御部３３の第１スイッチ（Ｓ１）とエネルギー回収制御部３４の第２スイッチ（Ｓ２）によりプラズマディスプレイパネル（Ｃｐａｎｅｌ）と分離されるので、インダクタ（Ｌ１）の他側端子の電圧（ＶＬ’）はプラズマディスプレイパネルに印加される電圧（Ｖｐ）に影響を及ぼさなくなり、従来のようなクランピングダイオードがこれ以上必要でなくなる。
【００７０】
図３ｂは、図３ａに図示された本発明の第１実施形態に係るプラズマディスプレイ装置のうち、エネルギー回収回路の動作特性を示す波形図である。
【００７１】
図３ｂを参照すれば、インダクタ（Ｌ１）の他側端子の電圧（ＶＬ’）は、たとえ不規則に振動しても、Ｖｐの出力波形には全く影響を及ぼさないことが分かる。
【００７２】
また、インダクタ（Ｌ１）の他側端子の電圧（ＶＬ’）は、従来とは異なり、Ｖｓ／２の電圧を中心に基底電圧（ＶＧＮＤ）乃至サステイン電圧（Ｖｓ）の範囲内で振動しているので、本発明の第１実施形態に係るプラズマディスプレイ装置のうち、エネルギー回収回路は隣接部品に与える影響が遥かに減少する効果も有する。
【００７３】
図４ａは、本発明の第２実施形態に係るエネルギー回収回路を含むサステイン駆動回路を示す図である。
【００７４】
図４ａに本発明の第２実施形態に係るプラズマディスプレイ装置のうち、エネルギー回収回路は図３ａに図示された本発明の第１実施形態に係るエネルギー回収回路のうち、インダクタ（Ｌ１）の他側端子の電圧（ＶＬ’）の振動の影響を減らすための構成であって、インダクタ（Ｌ１）の前記他側端子と基底電圧源との間に第１抵抗（Ｒ１）と第１キャパシタ（Ｃ１）からなる第１フィルタ部４６を更に含む。
【００７５】
たとえ、図３ａに図示された本発明の第１実施形態に係るプラズマディスプレイ装置のうち、エネルギー回収回路の場合にもインダクタ（Ｌ１）の他側端子の電圧（ＶＬ’）がパネルキャパシタ（Ｃｐａｎｅｌ）の出力波形に影響を及ぼさないとしても、インダクタ自体の発熱を発生させるおそれがあるので、これに対する解決方法として第１フィルタ部４６を付加する。
【００７６】
即ち、第１フィルタ部４６によりインダクタ（Ｌ１）とエネルギー回収用キャパシタ（Ｃｓ）により励起される高周波成分を基底電圧源側にバイパスさせることによって、インダクタ（Ｌ１）の他側端子の電圧（ＶＬ’）が基底電圧（ＶＧＮＤ）乃至サステイン電圧（Ｖｓ）の範囲での振動が抑制される。
【００７７】
図４ａには第１フィルタ部４６がＲＣフィルタの構成を有することと図示されたが、これに限るのでなく、共振波形を抑制するために他の帯域フィルタが使われることができるということは当業者に自明である。
【００７８】
図４ｂは、図４ａに示すように、第１フィルタ部４６を付加することによって、インダクタ（Ｌ１）の他側端子に表れるインダクタ（Ｌ１）とエネルギー回収用キャパシタ（Ｃｓ）の共振回路による共振波形のうち、高周波成分をバイパスすることで、ノイズが除去される状況を見せる波形図である。
【００７９】
図４ｂを参照すれば、本発明の第２実施形態に係るプラズマディスプレイ装置のうち、エネルギー回収回路によれば、インダクタ（Ｌ１）の他側端子の電圧（ＶＬ’）波形のうち、第２状態及び第４状態でノイズが顕著に除去されたことが分かる。
【００８０】
図５は、本発明の第３実施形態に係るプラズマディスプレイ装置のうち、エネルギー回収回路を示す図であって、図５に図示された本発明の第３実施形態に係るプラズマディスプレイ装置のうち、エネルギー回収回路は、図４ａに図示された本発明の第２実施形態に係るプラズマディスプレイ装置のうち、エネルギー回収回路の第１フィルタ部４６と共にサステイン電圧源とインダクタ（Ｌ１）の他側端子との間に接続されたもう１つの第２フィルタ部５７を更に含む。
【００８１】
第１フィルタ部５６の以外にサステイン電圧源側にインダクタ（Ｌ１）の他側端子の電圧（ＶＬ’）の高周波成分をバイパスする他の第２フィルタ部５７を付加することによって、基底電圧（ＶＧＮＤ）とサステイン電圧（Ｖｓ）の２方向のノイズが全て除去できる。
【００８２】
図６は、本発明の第４実施形態に係るプラズマディスプレイ装置のうち、エネルギー回収回路を示す図である。
【００８３】
図６に図示された本発明の第４実施形態に係るプラズマディスプレイ装置のうち、エネルギー回収回路は、エネルギー供給経路を形成する第１インダクタ（Ｌ１）とエネルギー回収経路を形成する第２インダクタ（Ｌ２）を分離させて、各々ソースキャパシタ（Ｃｓ）に直接連結されるように設置した点に特徴がある。
【００８４】
この場合、エネルギー供給経路を形成する第１インダクタ（Ｌ１）のインダクタンスをエネルギー回収経路を形成する第２インダクタ（Ｌ２）のインダクタンスより小さく設定することが好ましい。
【００８５】
したがって、このような構成によれば、クランピングダイオードを使用しないながらも前記インダクタによってパネルキャパシタに印加される不要な共振現象を顕著に低減させることができるだけでなく、エネルギー供給動作（即ち、第１状態）の際、小さなインダクタンス値を有するインダクタ（Ｌ１）が使われるので、パネルキャパシタ（Ｃｐａｎｅｌ）にエネルギーを供給する場合、パネルキャパシタの電圧（Ｖｐ）の電圧上昇時間が相対的に速くなって放電効率を向上させることができ、放電効率と関係ないエネルギー回収動作（即ち、第３状態）の際には大きいインダクタンス値を有するインダクタ（Ｌ２）によりエネルギー回収経路が形成できるので、駆動効率を共に向上させることができることになる。
【００８６】
以上、本発明の好ましい実施形態に対して詳述したが、本発明が属する技術分野で通常の知識を有する者であれば、添付の請求範囲に定義された本発明の精神及び範囲から外れない、かつ、本発明を種々なる変形または変更して実施できることが分かる。
【図面の簡単な説明】
【００８７】
【図１】本発明の一実施形態に係るプラズマディスプレイ装置のうち、プラズマディスプレイパネルの構造を示す分解斜視図である。
【図２】図１に図示されたプラズマディスプレイパネルの電極ライン及び放電セルの配置構造を示す平面図である。
【図３ａ】本発明の第１実施形態に係るプラズマディスプレイ装置のうち、エネルギー回収回路を示す図である。
【図３ｂ】図３ａのエネルギー回収回路による電圧波形図である。
【図４ａ】本発明の第２実施形態に係るプラズマディスプレイ装置のうち、エネルギー回収回路を示す図である。
【図４ｂ】図４ａのエネルギー回収回路による電圧波形図である。
【図５】本発明の第３実施形態に係るプラズマディスプレイ装置のうち、エネルギー回収回路を示す図である。
【図６】本発明の第４実施形態に係るプラズマディスプレイ装置のうち、エネルギー回収回路を示す図である。
【符号の説明】
【００８８】
１  上部基板
３  バス電極
４  上部誘電体層
５  保護膜
６  隔壁
７  蛍光体
８  下部誘電体層
９  下部基板
２０  放電セル
２１  ＰＤＰ
２２  スキャン駆動回路
２３  サステイン駆動回路
２４  アドレス駆動回路
２５  制御回路
３０  ソースキャパシタ
３１  インダクタ
３２  エネルギー回収／供給制御部
３５  サステインパルス供給制御部
４６、５６  第１フィルタ部
５７  第２フィルタ部
【図１】
2007108759.tif 000003
【図２】
2007108759.tif 000004
【図３ａ】
2007108759.tif 000005
【図３ｂ】
2007108759.tif 000006
【図４ａ】
2007108759.tif 000007
【図４ｂ】
2007108759.tif 000008
【図５】
2007108759.tif 000009
【図６】
2007108759.tif 000010